(57)【特許請求の範囲】
【請求項１】
携帯ストラップの紐に吊るし形態とする、頭部と胴部、頭部と脚部あるいは頭部と胴部と脚部とからなり、かつ、頭部を上にした立ち姿勢や座り姿勢が正常姿勢である正常姿勢決まり物品であって、
前記正常姿勢決まり物品の物品本体の一部である前記頭部の該頭部上部から下方に向けて設けられた、紐は通すが該紐の結び目は通さない紐通し結び目止め孔と、
この紐通し結び目止め孔の下部側で該紐通し結び目止め孔に連絡された、前記結び目を孔内に収納する結び目収納孔とからなるとともに、
前記紐の一方の側を前記頭部上部側から前記紐通し結び目止め孔に挿入して前記結び目収納孔内に出し、さらに前記結び目収納孔の外に出し、外に出た前記一方の側に前記結び目を形成し、前記紐の他方の側を引いて前記結び目を前記結び目収納孔内に引き込み収納し、収納された前記結び目が前記紐通し結び目止め孔で止められて抜けないようにされることによって、前記紐に前記正常姿勢で吊り状態に取り付けられることを可能とし、
前記結び目収納孔内に、雄スナップを差し込み連結する筒状体からなる雌スナップを設けない形態であることを特徴とする紐通し止め孔付き正常姿勢決まり物品。
【請求項２】
携帯ストラップの紐に吊るし形態とする、四足歩行の人形、自動車、バイク、自転車、腹這い姿勢の人形、寝姿勢の人形、水平飛行状態や着地状態の飛行機、水平泳ぎ状態などの背部を上に腹部を下にした姿勢が正常姿勢である正常姿勢決まり物品であって、
前記正常姿勢決まり物品の物品本体の一部である前記背部の該背部上部から下方に向けて設けられた、紐は通すが該紐の結び目は通さない紐通し結び目止め孔と、
この紐通し結び目止め孔の下部側で該紐通し結び目止め孔に連絡された、前記結び目を孔内に収納する結び目収納孔とからなるとともに、
前記紐の一方の側を前記背部上部側から前記紐通し結び目止め孔に挿入して前記結び目収納孔内に出し、さらに前記結び目収納孔の外に出し、外に出た前記一方の側に前記結び目を形成し、前記紐の他方の側を引いて前記結び目を前記結び目収納孔内に引き込み収納し、収納された前記結び目が前記紐通し結び目止め孔で止められて抜けないようにされることによって、前記紐に前記正常姿勢で吊り状態に取り付けられることを可能とし、
前記結び目収納孔内に、雄スナップを差し込み連結する筒状体からなる雌スナップを設けない形態であることを特徴とする紐通し止め孔付き正常姿勢決まり物品。
【請求項３】
正常姿勢決まり物品がフィギュアであることを特徴とする請求項１、２のいずれか１項に記載の紐通し止め孔付き正常姿勢決まり物品。
【請求項４】
紐通し結び目止め孔に通され且つその結び目が該紐通し結び目止め孔に止められる紐が添付されてなることを特徴とする請求項１〜３のいずれか１項に記載の紐通し止め孔付き正常姿勢決まり物品。
【請求項５】
紐通し結び目止め孔が縦孔形態であり結び目収納孔が横孔形態であることを特徴とする請求項１〜４のいずれか１項に記載の紐通し止め孔付き正常姿勢決まり物品。
【請求項６】
結び目収納孔が傾斜形態であることを特徴とする請求項５記載の紐通し止め孔付き正常姿勢決まり物品。
【請求項７】
前記結び目収納孔が、前記頭部の背面に貫通形態で設けられてなることを特徴とする請求項１〜４のいずれか１項に記載の通し止め孔付き正常姿勢決まり物品。
【発明の詳細な説明】
【技術分野】
【０００１】
本発明は、紐を通し止めて該紐に正常姿勢状態で吊り下げられる、主に携帯ストラップの飾り物品として最適な紐通し止め孔付き正常姿勢決まり物品に関する。
【背景技術】
【０００２】
従来の、携帯ストラップの紐に吊るして携帯する物品のうち、頭部と胴部あるいは頭部と胴部と脚部からなりかつ頭部を上にした立ち姿勢や座り姿勢が正常姿勢であるフィギュアと呼ばれる人形、あるいは四足歩行動物、自動車、バイク、自転車、飛行機などの背部を上に腹部を下にした姿勢が正常姿勢である正常姿勢決まり物品を、携帯ストラップの紐に吊るす方法として、例えば特許文献１（図４）に示すように（以下の従来技術の説明における符号は特許文献１において使用されている符号）、人形形態の装飾品４（正常姿勢決まり物品）の頭部頂点にヒートン５１（上部輪の下部にビスを設けた形態）がねじ込まれて設けられ、このヒートン５１の輪部位に金属製のリング５を通し取付け、細紐１（紐）が設けられた連結部材の孔部３５にリング５を通し取り付けて携帯ストラップを形成する技術が知られている。
【先行技術文献】
【特許文献】
【０００３】
【特許文献１】特開2006-255371号公報（図４）
【非特許文献】
【０００４】
【非特許文献１】特になし
【発明の概要】
【発明が解決しようとする課題】
【０００５】
上述した従来技術は、次に述べるような欠点があった。
（１）頭部を上にする正常姿勢決まり物品をその使用者が携帯ストラップの飾りにする場合、ヒートンという部品を特別に購入し、そのヒートンを正常姿勢決まり物品の頭部にヒートンをねじ込み取付け、端部が非接合の金属製リングを備えたループ形態の紐の該金属製リングをペンチで開いてヒートンの環部位に通し、金属製リングをベンチで閉じて取り付ける、というペンチが無ければ取付けも、取り外しもできないし、ヒートンを購入しなければならないという欠点を有するものであった。
（２）ヒートン、金属製リング（「蟹環、引き環」を含む）および金属製筒部材が頭部から上にあるので、正常姿勢決まり物品の意匠性が損なわれ場合が多いという欠点を有するものであった。
（３）携帯ストラップ用のループ紐の長さは、規格化されたどれもが略同じ長さであり、自分好みの紐長さのものにできない、ペンチが無ければ紐の交換ができないという欠点を有するものであった。
（４）正常姿勢決まり物品の二つを一本の非ループの紐で連結した携帯ストラップを形成することができないという欠点を有するものであった。
【０００６】
本発明は以上のような従来技術の欠点に鑑み、紐と鋏あるいは爪切りがあれば簡単に該紐を取り付けて携帯ストラップを形成することを可能とした紐通し止め孔付き正常姿勢決まり物品を提供することを目的としている。
【課題を解決するための手段】
【０００７】
上記目的を達成するために、本発明は次のような構成としている。
＜請求項１記載の発明＞
携帯ストラップの紐に吊るし形態とする、頭部と胴部、頭部と脚部あるいは頭部と胴部と脚部とからなり、かつ、頭部を上にした立ち姿勢や座り姿勢が正常姿勢である正常姿勢決まり物品であって、
前記正常姿勢決まり物品の物品本体の一部である前記頭部の該頭部上部から下方に向けて設けられた、紐は通すが該紐の結び目は通さない紐通し結び目止め孔と、
この紐通し結び目止め孔の下部側で該紐通し結び目止め孔に連絡された、前記結び目を孔内に収納する結び目収納孔とからなるとともに、
前記紐の一方の側を前記頭部上部側から前記紐通し結び目止め孔に挿入して前記結び目収納孔内に出し、さらに前記結び目収納孔の外に出し、外に出た前記一方の側に前記結び目を形成し、前記紐の他方の側を引いて前記結び目を前記結び目収納孔内に引き込み収納し、収納された前記結び目が前記紐通し結び目止め孔で止められて抜けないようにされることによって、前記紐に前記正常姿勢で吊り状態に取り付けられることを可能とし、
前記結び目収納孔内に、雄スナップを差し込み連結する筒状体からなる雌スナップを設けない形態であることを特徴とする紐通し止め孔付き正常姿勢決まり物品である。
＜請求項２記載の発明＞
携帯ストラップの紐に吊るし形態とする、四足歩行の人形、自動車、バイク、自転車、腹這い姿勢の人形、寝姿勢の人形、水平飛行状態や着地状態の飛行機、水平泳ぎ状態などの背部を上に腹部を下にした姿勢が正常姿勢である正常姿勢決まり物品であって、
前記正常姿勢決まり物品の物品本体の一部である前記背部の該背部上部から下方に向けて設けられた、紐は通すが該紐の結び目は通さない紐通し結び目止め孔と、
この紐通し結び目止め孔の下部側で該紐通し結び目止め孔に連絡された、前記結び目を孔内に収納する結び目収納孔とからなるとともに、
前記紐の一方の側を前記背部上部側から前記紐通し結び目止め孔に挿入して前記結び目収納孔内に出し、さらに前記結び目収納孔の外に出し、外に出た前記一方の側に前記結び目を形成し、前記紐の他方の側を引いて前記結び目を前記結び目収納孔内に引き込み収納し、収納された前記結び目が前記紐通し結び目止め孔で止められて抜けないようにされることによって、前記紐に前記正常姿勢で吊り状態に取り付けられることを可能とし、
前記結び目収納孔内に、雄スナップを差し込み連結する筒状体からなる雌スナップを設けない形態であることを特徴とする紐通し止め孔付き正常姿勢決まり物品である。
＜請求項３記載の発明＞
正常姿勢決まり物品がフィギュアであることを特徴とする請求項１、２のいずれか１項に記載の紐通し止め孔付き正常姿勢決まり物品である。
＜請求項４記載の発明＞
紐通し結び目止め孔に通され且つその結び目が該紐通し結び目止め孔に止められる紐が添付されてなることを特徴とする請求項１〜３のいずれか１項に記載の紐通し止め孔付き正常姿勢決まり物品である。
＜請求項５記載の発明＞
紐通し結び目止め孔が縦孔形態であり結び目収納孔が横孔形態であることを特徴とする請求項１〜４のいずれか１項に記載の紐通し止め孔付き正常姿勢決まり物品である。
＜請求項６記載の発明＞
結び目収納孔が傾斜形態であることを特徴とする請求項５記載の紐通し止め孔付き正常姿勢決まり物品である。
＜請求項７記載の発明＞
前記結び目収納孔が、前記頭部の背面に貫通形態で設けられてなることを特徴とする請求項１〜４のいずれか１項に記載の通し止め孔付き正常姿勢決まり物品である。
【発明の効果】
【０００８】
以上の説明から明らかなように、本発明にあっては次に列挙する効果が得られる。
＜請求項１記載の発明の効果＞
（１）紐と爪切りなどの該紐切断具があれば、紐通し止め孔付き正常姿勢決まり物品を購入後に、紐の一方側を紐通し結び目止め孔から入れ結び目収納孔から外に出し、出した結び目形成側に結び目を形成して、紐の吊側を引いて結び目を結び目収納孔内に引き込み収納し、収納された結び目が紐通し結び目止め孔で止められて抜けないようにされて携帯ストラップを、紐と該紐を切断する爪切りなどの紐切断手段があれば、簡単に好みの紐長さの携帯ストラップを形成できるという効果を奏する。
（２）紐を通すが該紐の結び目を通さない紐通し結び目止め孔と、この紐通し結び目止め孔に連絡された前記結び目を収納する結び目収納孔を有する紐通し止め孔付き物品（「紐通し止め孔付き正常姿勢決まり物品」を含む）を付けることができるとともに、形成した携帯ストラップの紐を切断して、針金クリップを延ばしたピンなどによって結び目を結び目収納部から押し出し除き、異なる紐通し止め孔付き物品と紐通し止め孔付き正常姿勢決まり物品（同じ物品の連結もあり）を好みの紐の長さとした新たな紐で連結して、新たな携帯ストラップを簡単に形成することができるという効果を奏する。
よって、形態は異なるが同様の紐通し止め構成（例えば図２のストッパー１６）の多様な形態のストッパーと、多様な形態の紐通し止め孔付き正常姿勢決まり物品との組み合わせを好みの紐の長さで楽しむことができる。異なる紐通し止め孔付き正常姿勢決まり物品を好みの長さの一本の紐に連結した携帯ストラップを形成して楽しむことを可能とする。
（３）ヒートン、紐とヒートンを介在する金属製環部材が必要なく、またそれらの取付け組立作業が必要ないので低コスト化を実現するという効果を奏する。
（４）ヒートンをねじ込む場合には、紐通し結び目止め孔が下孔となるので、指で容易に素早く真直ぐにヒートンをねじ込み取り付けることができるという効果を奏する。
＜請求項２記載の発明の効果＞
紐の一方を背部側から紐通し結び目止め孔に挿入して結び目を形成する以外は、請求項１記載の発明と同様な効果を奏するものである。
＜請求項３記載の発明の効果＞
請求項１、２のいずれか１項に記載の発明と同様な効果を奏する。
＜請求項４記載の発明の効果＞
請求項１〜３のいずれか１項に記載の発明と同様な効果を奏するとともに、紐が添付されているので、その紐に紐通し止め孔付き正常姿勢決まり物品を取り付けて、好みの紐長さの携帯ストラップを簡単に形成できるという効果を奏する。
＜請求項５記載の発明の効果＞
紐通し結び目止め孔が縦孔形態であり結び目収納孔が横孔形態であることを特徴とする請求項１〜４のいずれか１項に記載の紐通し止め孔付き正常姿勢決まり物品であるので、請求項１〜４のいずれか１項に記載の発明と同様な効果を奏するとともに、横穴形態とすることは、例えば頭部成形後ないし製品完成後（色塗り前、色塗り後のいずれも含む）後あるいは製品購入後に、まず紐通し結び目止め孔の形成位置を決めそれを想定して結び目収納孔をドリル、孔くり貫き具などの孔形成手段などで形成しておき、形成した結び目収納孔に向けてドリルなどで紐通し結び目止め孔をあけるようにできるので、紐通し結び目止め孔の紐挿入口（紐吊口）を正確な位置に容易に形成できるという効果を奏する。
＜請求項６記載の発明の効果＞
結び目収納孔が傾斜形態であることを特徴とする請求項５記載の紐通し止め孔付き正常姿勢決まり物品であるので、請求項５記載の発明と同様な効果を奏するとともに、紐通し結び目止め孔から挿入し結び目収納孔に達した紐の一方の端方は、さらなる押し込み操作に伴って結び目収納孔の傾斜底面に当たり該傾斜底面によって傾斜下方へとスムーズに先端を向けるので、そのままの押し操作によって結び目収納孔内をスムーズに進行さえ外に出すことができるという効果を奏する。
すなわち、紐への紐通し止め孔付き正常姿勢決まり物品の取付け操作作業が容易に行える。
【図面の簡単な説明】
【０００９】
【図１】本発明の実施例１の正面図、側面図、背面図および断面図。
【図２】本発明の実施例１の携帯ストラップ形成例を示す断面図およびストッパーの拡大断面図（中央図）
【図３】本発明の実施例１のケース＋多機能携帯端末への形成した携帯ストラップの取付け例手順を示す斜視図。
【図４】図３の続き。
【図５】本発明の実施例１の紐通し取付け部を有する携帯品への形成した携帯ストラップの取付け例手順を示す斜視図。
【図６】本発明の実施例１の紐通し取付け部を有する携帯品への携帯ストラップの形成と取付け手順を示す手順図。
【図７】本発明の実施例２の側面図、背面図および携帯ストラップの形成例を示す断面図。
【図８】本発明の実施例２の形成した携帯ストラップの携帯品への取付け例を示す断面図。
【図９】本発明の実施例３の側面図および底面図。
【図１０】本発明の実施例３の形成した携帯ストラップの断面図。
【図１１】本発明の実施例４の形成した携帯ストラップの取付け状態を示す断面図。
【図１２】本発明の実施例５の側面図、背面図および携帯ストラップの形成例を示す断面図。
【発明を実施するための形態】
【００１０】
以下、本発明を実施するための最良の形態である実施例について説明する。但し、本発明をこれら実施例のみに限定する趣旨のものではない。また、後述する実施例の説明においては、前述した実施例の同一構成部分には同一符号を付して重複する説明を省略する。
【実施例１】
【００１１】
図１〜図６に示す本発明の実施例において、１は携帯ストラップの紐に吊るし形態とする、頭部と胴部、頭部と脚部あるいは頭部と胴部と脚部とからなり、かつ、頭部を上にした立ち姿勢や座り姿勢が正常姿勢である紐通し止め孔付き正常姿勢決まり物品であって、この紐通し止め孔付き正常姿勢決まり物品１は次に述べるような構成となっている。
頭部２、胴部３、腕部４および脚部５からなる座り姿勢が正常姿勢である物品本体６と、
前記頭部２の該頭部２上部から下方に向けて背側に傾斜形態で設けられた、非ループの一本紐形態の紐７は通すが該紐７の一回結びである結び目８は通さない紐通し結び目止め孔９と、
この紐通し結び目止め孔９の下部側に該紐通し結び目止め孔９から下方直線傾斜形態で前記頭部２背面の下部側に貫通形態で該紐通し結び目止め孔９に連絡された、前記結び目８を孔内に収納する結び目収納孔１０とからなるとともに、
前記紐７の一方の側を前記頭部２上部側から前記紐通し結び目止め孔９に挿入して前記結び目収納孔内１０に出し、さらに前記結び目収納孔１０の外に出し、外に出た前記一方の側に前記結び目８を形成し、形成した結び目８から出ている余分な部位を爪切り、ニッパ、鋏などで切り除き、前記紐７の他方の側を引いて前記結び目８を前記結び目収納孔１０内に引き込み収納し、収納された前記結び目８が前記紐通し結び目止め孔９で止められて抜けないようにされることによって（図２参照）、前記紐７に前記正常姿勢で吊り状態に取り付けられてなる携帯ストラップ１１を簡単に形成することを可能としているものである。
【００１２】
携帯ストラップ１１の紐７の他方の側には、ストッパー本体１３と、このストッパー本体１３の側面の一方側から側面の他方側に貫通孔形態で設けられた、非ループの一本紐形態の紐７の結び目８を収納する結び目収納孔１４と、ストッパー本体１３の底部ないし背部から結び目収納孔１４に連絡された、非ループの一本紐形態の紐７は通すがその結び目８は通さない紐通し結び目止め孔１５とからなるストッパー１６が取り付けられている。
よって、形態は異なるが同様の紐通し止め構成の多様な形態のストッパーと、多様な形態の紐通し止め孔付き正常姿勢決まり物品との組み合わせを好みの紐の長さで楽しむことができる。異なる紐通し止め孔付き正常姿勢決まり物品を好みの長さの一本の紐に連結した携帯ストラップを形成して楽しむことを可能とする。
【００１３】
図３、図４を参照して携帯ストラップ１１の携帯品への取り付け方例を説明する。
正面がタッチパネル式のディスプレイ２１が設けられた多機能携帯端末２３（スマートホンが代表的なもの）と、これを収納してなるケース２４とで携帯品２２を形成している。
ケース２４のカメラレンズが露出されるカメラ撮影用窓２５の外側からストッパー１６を入れケース２４の背面板に開口されたケースの開口窓２６の外に出した状態にして（図３参照）、多機能携帯端末２３をケースの正面に開口されている開口窓２６から押し込み収納する。このとき、紐７は多機能端末２３とケース２４の内壁に挟持状態にされ、そのストッパー１６側はケースの開口窓２６と多機能携帯端末２３の間から外に出て、ストッパー１６はケース２４と多機能携帯端末２３の正面側外に出ている状態となる（図４の上図）。
紐７の他方側２を引いて紐７を引きストッパー１６を多機能携帯端末２３とケース２４に当接させる（図４の下図）。
【００１４】
また、図５を参照して携帯品への他の取り付け方法例を説明する。
多機能携帯端末２３と、この多機能携帯端末２３を正面の開口窓２６から押し込み収納し、側面外角に携帯ストラップの紐７を通し取り付ける紐通し取付け部３０（多機能携帯端末２３に設けてなるものもある）を有してなるケース２９とで携帯品２８を形成している。
紐７を折り畳みの一対形態にして紐通し取付け部３０に通し抜けさせて、出た部位を広げて潜らせループ３１を形成し、この潜らせループ３１にストッパー１６を潜らせ状態にして（図５の上図参照）、紐取り付け物品２側を引っ張って潜らせループ３１を収縮締めて該潜らせループ３１からストッパー１６が抜けない状態にして（図５の下図参照）携帯ストラップ１を取り付け状態とする。
【００１５】
紐７がささくれ立って切れそうになったら該紐７を切断して取り除き、紐７が切断してしまったら取り除き、あるいは紐７の長さが不適当で好みの長さの紐７に変えたい場合は紐７を切断して取り除き、新しい紐７に変えた携帯ストラップ１１を形成できる。
【００１６】
また、図６を参照して携帯品への他の取り付け方法例を説明する。
携帯品３３の紐通し取付け部３０に、ストッパー１６を他方の側に設けた紐７を通し、紐通し止め孔付き正常姿勢決まり物品１と同じ構成でそれより小さい形態の紐通し止め孔付き正常姿勢決まり物品３４に紐７の一方の側を通し好みのところに結び目８ａを形成し、さらに紐通し止め孔付き正常姿勢決まり物品１に紐７を通し好みのところに結び目８ｂを形成し、余分な紐部位を切断除いて紐通し止め孔付き正常姿勢決まり物品が二つ連結された携帯ストラップ３５を形成している。
ストッパー１６はハート型としている。星形、ロゴ、キャラ顔、図形など多様なものがある。
紐７の携帯品への取り付け方法例は他に、後述する図６、図８、図１１のような取付け方法などがある。
【００１７】
また、結び目収納孔を設け紐通し結び目止め孔を設けない形態とするのもよい。これは、購入後に購入者なりが自分で紐通し結び目止め孔をドリルなどで形成できるようにするものである。
この場合、例えば、あらかじめ形成されている直径２ｍｍの結び目収納孔１０の下部開口から１ｍｍのドリルを挿入し切削して頭部２に突き抜けさせて直径１ｍｍの紐通し結び目止め孔９を形成する。０．８ｍｍの太さの紐７を取り付ける。
【００１８】
紐通し止め孔付き正常姿勢決まり物品としてフィギュアが好適である。
フィギュアの定義は以下のようなものである。
趣味の模型や玩具においては人形を意味し、鉄道模型やミリタリーモデルなどで使用される。日本では食玩ブーム以降、ミニチュアの代わりとしてフィギュアという言い方が広まった。その際には、必ずしも人物のミニチュアを意味せず、自動車などの乗り物をはじめとして建物、食べ物、植物や動物、昆虫、過去の生き物や空想の世界の物も含まれる。
メタルフィギュア
金属製のフィギュアで、材質はピューター、ホワイトメタルなどの加工しやすい柔らかな合金が用いられる。ミニチュアゲームの駒として古くから使われ、TRPGにも用いられる。ミリタリーモデルのジオラマ用、単体のヴィネット用も多い。
自販機フィギュア
模型屋や駄菓子屋の店頭に設置された、ガチャポン（登録商標）などの自動販売機で販売されるフィギュア。カプセルに単体で封入されている。かつての素材は「消しゴム」と称された単色のゴム製のもの (怪獣消しゴム、キン消しなど) で、デフォルメされたもの、彩色済みで硬質の合成樹脂を用いた、細密成型のものがある。またコンビニエンスストアで売られるものもあり、自動販売機ではなく店頭売りされることも多い。
食玩フィギュア
食品付き玩具 (食玩) の中でキャラクターフィギュアが付属しているもの。
プライズフィギュア
ゲームセンターのプライズゲーム（クレーンゲームが主流）や一番くじなどの景品。プライズ品とも呼ばれる。主流は射出成形によるPVC製のムクで塗装済みの完成品（もしくは半組立品）である（これらの特徴は市販品も同じ）。
アクションフィギュア
特に関節の自由度を強調したい製品。
ソフトビニール人形
ソフトビニール人形とはポリ塩化ビニルを型抜きして中空成型したパーツを組み立てた、完成品のフィギュア。軟質素材であるため、ソフトビニールと呼ばれ、さらに略してソフビとも呼ばれる。パーツを組み合わせた部分は「間着（嵌着）」と呼ばれ、その接合面で可動するため、アクションフィギュア程ではないがそこそこ可動する。
ドール
西ヨーロッパ圏、特にヨーロッパにおける愛玩用もしくは玩具としての人形が「ドール」と呼称され、また、ドールハウスなど実際に人形が存在しなくともドールという呼称が使用される場合もある。日本においても古くから存在する一般的な呼称である
ガレージキット
ガレージキット
大量生産が難しい技法で生産されたキットを言う。食品付属玩具 (食玩) などは大手メーカーの大量生産品であるため、ガレージキットというよりもプラモデルに近い。またガレージキットも製作技術の進歩、素材の改良、大手の参入などがあり、1000個単位の流通も珍しくはなくなっている。
【実施例２】
【００１９】
図７、図８に示す本発明の実施例２において、前記実施例１と主に異なる点は、紐通し結び目止め孔を頭部上部から下方に略垂直に形成した紐通し結び目止め孔３６とし、結び目収納孔を、頭部２の一方の側面から他方の側面に貫通する横穴形態としてなる結び目収納孔３７としてなる紐通し止め孔付き正常姿勢決まり物品３８を形成した点にある。
例えば図７の右図に示すように、他方の側にストッパー１６を設けた紐７を取り付けて携帯ストラップ３９を形成することが可能である。
結び目収納孔３７は胴部３や脚部５側など目立たない箇所に設けるのがよい。
【００２０】
例えば図８に示すように、長めの紐７の両側に紐通し止め孔付き正常姿勢決まり物品３８、３８を取付けて携帯ストラップ４１を形成した点にある。
携帯品３３の紐通し取付け部３０に紐７を折り畳み一対形態で通し、出た部位を広げて潜らせループ３１を形成し、潜らせループ３１に紐通し止め孔付き正常姿勢決まり物品３８、３８を潜らせ引っ張って該潜らせループ３１を締め、携帯品に取り付ける。
紐７をバックの取手や吊バンドに巻き付け上方で一回縛りとして、バックに吊り下げるような使用も可能としている。
紐通し止め孔付き正常姿勢決まり物品は同じものに限らず、多様な種類・形態のものを組み合わせて携帯ストラップを形成するのがよい。
【００２１】
結び目収納孔を結び目収納孔３７のように横穴形態（傾斜横穴形態を含む）とすることは、例えば頭部成形後ないし製品完成後（色塗り前、色塗り後のいずれも含む）後あるいは製品購入後に、まず紐通し結び目止め孔の形成位置を決めそれを想定して結び目収納孔をドリルなどで形成しておき、形成した結び目収納孔に向けてドリルなどで紐通し結び目止め孔をあけるようにできるので、紐通し結び目止め孔の紐挿入口（紐吊口）を正確な位置に容易に形成できる。
また、結び目収納孔を設け紐通し結び目止め孔を設けない形態とするのもよい。これは、購入後に購入者なりが自分で紐通し結び目止め孔をドリルなどで形成できるようにするものである。
【実施例３】
【００２２】
図９、図１０に示す本発明の実施例３において、前記実施例１と主に異なる点は、紐通し止め孔付き正常姿勢決まり物品を、四足歩行の人形、自動車、バイク、自転車、腹這い姿勢の人形、寝姿勢の人形、水平飛行状態や着地状態の飛行機、水平泳ぎ状態などの胴部４８の胴部の背部４２を上に腹部４３を下にした姿勢が正常姿勢であり、かつ、紐通し結び目止め孔（略垂直）を背部４２側より腹部４３側に向けた形態で二本の紐が通るがその結び目は通らない紐通し結び目止め孔４５にし、結び目収納孔（略垂直）を紐通し結び目止め孔４５に略垂直に連絡し腹部４３に貫通する結び目収納孔４６としてなる紐通し止め孔付き正常姿勢決まり物品４４（ここでは水平飛行物体であり水平飛行姿勢が正常姿勢）を形成した点にある。
４７は頭部、４８は胴部、４９は尾翼、５０は主翼である。
【００２３】
図１０に示す紐通し止め孔付き正常姿勢決まり物品４４による携帯ストラップの形成例について説明する。
両端を合わせて（非接着合わせ、接着合わせのいずれも含む）ループ状態とした紐５２の、合わせ状態の両端を背部４２側から紐通し結び目止め孔４５に挿入し結び目収納孔４６を通過させて腹部４３側の外に出し、その出た部位に結び目５１を形成して、ループ側を引いて結び目５１を結び目収納孔４６内に引き込み収納して携帯ストラップ５３を形成している。
【実施例４】
【００２４】
図１１に示す本発明の実施例４において、前記実施例３と主に異なる点は、結び目収納孔を胴部４８の腹部４３側を大きく開口し広い溝ないし広い止まり穴形態にしてなる結び目収納孔５５としてなる紐通し止め孔付き正常姿勢決まり物品５６を形成した点にある。
結び目収納孔５５を広くしたのは、軽量化と使用材料の低減化のためである。
【００２５】
図１１を参照して、紐通し止め孔付き正常姿勢決まり物品５６による、携帯ストラップの形成例およびその携帯品への取付け例について説明する。
紐７を背部４２側から紐通し結び目止め孔４５から挿入し結び目収納孔５５から腹部４３側外に出し、その出した部位に結び目８を形成して携帯ストラップ５３を形成する。
紐７の他方の側を、携帯品３３の紐通し取付け部３０に通し結び目５７を形成して、その結び目５７を瞬間接着剤で固着させ、余分な部位を爪切りなどで切断除いて取り付け状態としている。
【００２６】
紐通し止め孔付き正常姿勢決まり物品５６が、ソフトビニール人形とはポリ塩化ビニルを型抜きして中空成型したソフトビニール人形である場合、結び目収納孔５５内に、紐通し結び目止め孔４５を設けた金属部材（一般的には金属板）や硬質プラスチックからなら紐通し結び目止め孔付き補助部材に設け、この紐通し結び目止め孔付き補助部材によって結び目が抜けないように止める形態とする。このような構成も、本願発明の技術的範疇に含まれるものである。
紐通し結び目止め孔付き補助部材は目収納孔５５の天井に貼り付けないし嵌め込み止め置き形態とする方法、あるいは紐通し止め孔付き正常姿勢決まり物品とは分離された形態で提供される方法がある。
【実施例５】
【００２７】
図１２に示す本発明の実施例５において、前記実施例２と主に異なる点は、結び目収納孔３７を傾斜形態としてなる結び目収納孔６０とした紐通し止め孔付き正常姿勢決まり物品６１を形成した点にある。
結び目収納孔６０が傾斜形態であるので、紐通し結び目止め孔３６から挿入し結び目収納孔６０に達した紐７の一方の端方は、さらなる押し込み操作に伴って結び目収納孔６０の傾斜底面に当たり該傾斜底面によって傾斜下方へとスムーズに先端を向けるので、そのままの押し操作によって結び目収納孔６０内をスムーズに進み外に出すことができる。
すなわち、紐７への紐通し止め孔付き正常姿勢決まり物品６１の取付け操作作業が容易に行える。
【産業上の利用可能性】
【００２８】
本発明は、主に携帯ストラップ、フィギュアを製造・販売する産業で利用される。
【符号の説明】
【００２９】
１：紐通し止め孔付き正常姿勢決まり物品、
２：頭部、
３：胴部、
４：腕部、
５：脚部、
６：物品本体、
７：紐、
８、８ａ、８ｂ：結び目、
９：紐通し結び目止め孔、
１０：結び目収納孔、
１１：携帯ストラップ、
１３：ストッパー本体、
１４：結び目収納孔、
１５：紐通し結び目止め孔、
１６：ストッパー、
２１：ディスプレイ、
２２：携帯品、
２３：多機能携帯端末、
２４：ケース、
２５：カメラ撮影用窓、
２６：開口窓、
２８：携帯品、
２９：ケース、
３０：紐通し取付け部、
３１：潜らせループ、
３３：携帯品、
３４：紐通し止め孔付き正常姿勢決まり物品、
３５：携帯ストラップ、
３６：紐通し結び目止め孔、
３７：結び目収納孔、
３８：紐通し止め孔付き正常姿勢決まり物品、
３９：携帯ストラップ、
４２：背部、
４３：腹部、
４４：紐通し止め孔付き正常姿勢決まり物品、
４５：紐通し結び目止め孔、
４６：結び目収納孔、
４７：頭部、
４８：胴部、
４９：尾翼、
５０：主翼、
５１：結び目、
５２：紐、
５３：携帯ストラップ、
５５：結び目収納孔、
５６：紐通し止め孔付き正常姿勢決まり物品、
５７：結び目、
６０：結び目収納孔、
６１：紐通し止め孔付き正常姿勢決まり物品。
【図１】
0005559289.tif 000002
【図２】
0005559289.tif 000003
【図３】
0005559289.tif 000004
【図４】
0005559289.tif 000005
【図５】
0005559289.tif 000006
【図６】
0005559289.tif 000007
【図７】
0005559289.tif 000008
【図８】
0005559289.tif 000009
【図９】
0005559289.tif 000010
【図１０】
0005559289.tif 000011
【図１１】
0005559289.tif 000012
【図１２】
0005559289.tif 000013